(57)【特許請求の範囲】
【請求項１】
基板を収納し、遊技機に取り付けられる基板ケースと、
前記遊技機に取り付けられる他の部材と、
を備える基板ケースの取り付け構造であって、
前記基板ケースは、前記遊技機から取り外されたときは、前記基板ケースの表面における一部を覆う位置Ａ、及び開放する位置Ｂの間を移動可能な保護部材を備え、
前記他の部材は、前記基板ケースが前記遊技機に取り付けられたとき、前記保護部材の前記位置Ａから前記位置Ｂへの移動を、前記保護部材と当接することにより禁止し、
前記基板ケースの表面における一部は、ＩＣタグ付き封印シールを貼付する領域、及び／又は前記基板ケースを封止する封止部であることを特徴とする基板ケースの取り付け構造。
【発明の詳細な説明】
【技術分野】
【０００１】
本発明は、基板を収納し、遊技機に取り付けられる基板ケースの取り付け構造に関する。
【背景技術】
【０００２】
パチンコ機等の遊技機は、それをコントロールするためのＲＯＭ等の制御基板を背面側に備えている。この制御基板は、ケース本体と蓋体とから成る基板ケースに収納される。従来、基板ケースを不正に開放することを困難にし、不正に開放された場合はその発見が容易となるように、基板ケースのケース本体と蓋体とをワンウェイネジ等によって封止している。
【０００３】
さらに、基板ケースを不正に開放することを困難にするために、基板ケースに開閉可能な保護カバーを設け、その保護カバーで封止部を保護することが考えられる（特許文献１参照）。
【特許文献１】特開２００６−９５０４７号公報
【発明の開示】
【発明が解決しようとする課題】
【０００４】
しかしながら、特許文献１に記載された保護カバーは、容易に開閉できる構造であるため、基板ケースを不正に開放する行為を防止する効果は不十分である。
【０００５】
本発明は以上の点に鑑みなされたものであり、基板ケースを不正に開放する行為を防止できる基板ケースの取り付け構造を提供することを目的とする。
【課題を解決するための手段】
【０００６】
（１）請求項１の発明は、基板を収納し、遊技機に取り付けられる基板ケースと、前記遊技機に取り付けられる他の部材と、を備える基板ケースの取り付け構造であって、前記基板ケースは、前記遊技機から取り外されたときは、前記基板ケースの表面における一部を覆う位置Ａ、及び開放する位置Ｂの間を移動可能な保護部材を備え、前記他の部材は、前記基板ケースが前記遊技機に取り付けられたとき、前記保護部材の前記位置Ａから前記位置Ｂへの移動を、前記保護部材と当接することにより禁止し、前記基板ケースの表面における一部は、ＩＣタグ付き封印シールを貼付する領域、及び／又は前記基板ケースを封止する封止部であることを特徴とする基板ケースの取り付け構造を要旨とする。
【発明を実施するための最良の形態】
【００１５】
本発明の実施形態を図面に基づいて説明する。
１．基板ケース１の構成
基板ケース１の構成を図１〜図５、及び図７に基づいて説明する。図１は、保護カバー７が閉じた状態における基板ケース１の斜視図であり、図２は、保護カバー７が閉じた状態における基板ケース１の３面図であり、図３は、保護カバー７が開いた状態における基板ケース１の斜視図であり、図４は、保護カバー７が開いた状態における基板ケース１の３面図であり、図５は封印シールの構成を表す説明図であり、図７は、後述する図６のＸ−Ｘ断面における断面図である。
【００１６】
基板ケース１は、遊技機（例えばパチンコ機）の制御基板２（図７参照）を収容し、封止するためのケースであり、略直方体の形状を有する。基板ケース１は、ケース本体３と、ケース本体３に蓋をする蓋体５とから構成される。制御基板２は、図７に示すように、蓋体５に設けられた台座部５ａに、ネジ６で固定される。
【００１７】
図１〜図４に示すように、蓋体５は、その一方の端面付近に、透明な材料から成る保護カバー（保護部材）７を備えている。保護カバー７は、その一端において、ヒンジ９を介して蓋体５に取り付けられている。保護カバー７は、略Ｌ字型の形状を有し、ヒンジ９に接続する第１面７ａと、第１面７ａと直交する第２面７ｂとから構成される。保護カバー７は、ヒンジ９における回動軸（第２の回動軸）を回動中心として、図１及び図２に示す位置Ａと、図３及び図４に示す位置Ｂとの間を回動可能である。
【００１８】
図１及び図２に示すように、保護カバー７が位置Ａにあるとき、第１面７ａは、基板ケース１の正面側（図２（ａ）における下側、図２（ｂ）における手前側、図２（ｃ）における左側）の面における一部を覆う。第１面７ａで覆われる部分には、ケース本体３と蓋体５とが両方含まれる。また、保護カバー７が位置Ａにあるとき、第２面７ｂは、基板ケース１の一方の側面側（図２（ａ）及び（ｂ）における右側、図２（ｃ）における手前側）の面における一部を覆う。第２面７ｂで覆われる部分は、ケース本体３である。
【００１９】
一方、図３及び４に示すように、保護カバー７が位置Ｂにあるとき、保護カバー７は正面側に回動した状態となり、保護カバー７が位置Ａにある場合は覆われていた部分は、開放される。通常（例えば遊技機の営業中）は、保護カバー７は位置Ａにある。
【００２０】
基板ケース１は、保護カバー７と同じ側の端部であって、保護カバー７に隣接した位置に設けられた封止部１１と、保護カバー７とは反対側の端部に設けられた封止部１３とにより、封止される。封止部１１、１３の構成は周知のものであり詳細は省略するが、ケース本体３側のボスと、蓋体５側のボスとを、ワンウェイネジで固定するものである。
【００２１】
また、基板ケース１は、位置Ａにある保護カバー７で覆われる領域に、封印シール１５を貼付することで、封止される。上述したように、位置Ａにある保護カバー７で覆われる領域は、ケース本体３と蓋体５とに跨っているので、封印シール１５も、ケース本体３と蓋体５とに跨って貼付される。封印シール１５は、保護カバー７が位置Ａにあるときは、保護カバー７によって、その全体が覆われ、保護カバー７が位置Ｂにあるときは、その全体が露出する。
【００２２】
封印シール１５は、図５（ａ）に示すように、略長方形の形状を有し、図５（ｂ）に示すように、接着剤で形成された粘着層１７、特殊紙から成る基材１９を積層した構造を有する。また、貼付前の状態では、粘着層１７に剥離紙２１が付されており、この剥離紙２１は、封印シール１５を貼付するときに除去される。基材１９の表面には、「開封厳禁」の文字がオフセット印刷されている（図１〜図４参照）。
【００２３】
図５（ａ）に示すように、封印シール１５は、その１対角線の全体にわたって、インレット２３が組み込まれている。インレット２３の内部には、図示しないＩＣタグのミューチップ（超小型無線認識用ＩＣチップ）と外部アンテナが収容されている。インレット２３には、複数の切り込み２３ａが形成されている。そのため、封印シール１５を剥がそうとして、インレット２３に力が加わると、インレット２３は切り込み２３ａの部分で容易に切断される。インレット２３が切断されると、その中の外部アンテナも切断されてしまい、ＩＣタグは機能しなくなる。
【００２４】
図５（ａ）に示すように、粘着層１７及び基材１９にも、切り込み２５が形成されており、封印シール１５を剥がそうとして力が加わったとき、封印シール１５は、この切り込み２５の部分で容易に破れる。また、図５（ａ）に示すように、封印シール１５の周囲は波形に加工されている。そのため、封印シール１５を剥がそうとして力が加わったとき、封印シール１５は、この波形における谷の部分で容易に破れる。また、封印シール１５は、一旦貼付した後に剥がすと、粘着層１７及び基材１９の一部が分離し、その分離した部分は基板ケース１側に残ってしまう。
【００２５】
２．基板ケース１の取り付け構造
基板ケース１の取り付け構造を図６〜図９に基づいて説明する。図６は、遊技機の背面に基板ケース１を取り付けたが、後述する裏カバー２９は外している状態を表す背面図であり、図７は図６のＸ−Ｘ断面における断面図であり、図８は、遊技機の背面に基板ケース１及び裏カバー２９を取り付けた状態を表す背面図であり、図９は図８のＹ−Ｙ断面における断面図である。
【００２６】
図６及び図７に示すように、基板ケース１は、ケース本体３が遊技機２７と対向するように、遊技機２７の背面における下方に取り付けられる。基板ケース１の向きは、背面から見て、保護カバー７が右側となる向きである。図７（ａ）（ｂ）に示すように、後述する裏カバー２９が遊技機２７に取り付けられていない状態では、保護カバー７は、位置Ａから位置Ｂに回動することができる。
【００２７】
通常は、図８及び図９に示すように、遊技機２７の背面には、板状の部材である裏カバー２９が取り付けられる。裏カバー２９は、背面側から見て、遊技機の右端付近に設けられた一対のヒンジ３１を介して遊技機２７に取り付けられている。裏カバー２９は、ヒンジ３１における回動軸（第１の回動軸）を回動中心として、遊技機２７の裏面を覆う位置Ｃ（図９（ａ）において実線で表された位置、図８に示す位置）と、遊技機２７の裏面を開放する位置Ｄ（図９（ａ）において点線で表された位置）との間を回動可能である。
【００２８】
裏カバー２９は、ヒンジ３１とは反対側の端部に、遊技機２７の方向に突出した係合片（係合部）３３を備えており、遊技機２７は、裏カバー２９が位置Ｃにあるとき、係合片３３を係合可能な係合孔（図示略）を備えている。そのため、裏カバー２９は、係合片３３を遊技機２７側の係合孔に係合することにより、位置Ｃにある状態を維持することができる。なお、裏カバー２９は、通常（例えば営業中）は、位置Ｃにある。
【００２９】
裏カバー２９の下方には、コの字型の切り欠き部３５が形成されている。裏カバー２９が位置Ｃにあるとき、図８に示すように、背面側から見て、裏カバー２９のうち、切り欠き部３５の右側の領域３７と、保護カバー７における第１面７ａのうち、右端付近の領域とが重なる。なお、図８に示すように、領域３７は、係合片３３よりも、ヒンジ３１に近い部分である。保護カバー７における第１面７ａのうち、上記右端付近の領域以外は、切り欠き部３５を通して、背面側から視認可能である。ここで、保護カバー７は上述したように透明な材料から成るから、保護カバー７を通して、封印シール１５を視認可能である。
【００３０】
裏カバー２９が位置Ｃにある状態において、図９（ａ）に示すように、保護カバー７が位置Ａにあるときは、保護カバー７と裏カバー２９とは当接しない。保護カバー７を、位置Ａから位置Ｂに向けて回動しようとすると、図９（ｂ）に示すように、保護カバー７における第１面７ａのうち、右端付近の領域が、裏カバー２９の領域３７と当接し、それ以上回動することができない。このとき、保護カバー７は、位置Ａに近い位置にあり、保護カバー７と封印シール１５との隙間は、保護カバー７が位置Ａにあるときの隙間と大きな違いはない。
【００３１】
裏カバー２９が位置Ｄにある状態では、保護カバー７は、裏カバー２９と当接することなく、位置Ａから位置Ｂまで回動することができる。
３．基板ケース１の取り付け構造が奏する効果
（１）基板ケース１を不正に開放するために、封印シール１５を剥がそうとするとき、保護カバー７を位置Ａから位置Ｂに回動させ、封印シール１５を露出させる必要がある。しかしながら、裏カバー２９が位置Ｃにある状態では、上述したように、保護カバー７を位置Ｂに回動させることができないため、保護カバー７を位置Ｂに回動させるためには、まず、係合片３３による係合を解除し、さらに、裏カバー２９を位置Ｃから位置Ｄまで回動させる必要がある。その結果、保護カバー７を開放させるために要する時間が長くなり、基板ケース１を不正に開放する行為が困難となる。
（２）基板ケース１を遊技機２７から取り外した状態、又は、裏カバー２９を位置Ｄにした状態では、保護カバー７を位置Ａから位置Ｂに回動させ、封印シール１５を露出させることができるので、制御基板２の交換や点検等のとき、作業性が良い。
（３）保護カバー７を位置Ａから位置Ｂに回動しようとするとき、裏カバー２９において保護カバー７と当接する領域３７は、係合片３３よりもヒンジ３１に近い位置にある。そのため、当接した保護カバー７から裏カバー２９に伝わる、裏カバー２９を位置Ｄに向けて回動させようとするトルクは、係合片３３の係合を解除するほどの大きさになりにくい。その結果、保護カバー７と当接することで、裏カバー２９が不本意に開放されてしまうようなことが起こりにくい。
（４）保護カバー７を位置Ａから位置Ｂに回動しようとするとき、保護カバー７において裏カバー２９と当接する部分は、ヒンジ９とは反対側の部分である。すなわち、保護カバー７は、その回動における外周側で、裏カバー２９と当接する。そのため、保護カバー７は、位置Ａから位置Ｂに向かう回動の極く初期で裏カバー２９と当接し、保護カバー７と封印シール１５との間に生じる隙間が大きくならない。その結果、封印シール１５に対する不正行為が一層困難となる。
（５）保護カバー７における第１面７ａのうち、右端付近の領域以外は裏カバー２９と重ならず、また、保護カバー７は透明な材料から成るから、裏カバー２９が位置Ｃにある状態のまま、封印シール１５に記載された文字や数字を読み取ることができる。
【００３２】
尚、本発明は前記実施の形態になんら限定されるものではなく、本発明を逸脱しない範囲において種々の態様で実施しうることはいうまでもない。
例えば、保護カバー７は、基板ケース１に貼付された封印シール１５ではなく、封止部１１、１３を覆うものであってもよい。また、封止部１１、１３の表面に封印シール１５を貼付し、その封印シール１５を保護カバー７が覆うようにしてもよい。
【００３３】
保護カバー７の回動を禁止する部材としては、裏カバー２９には限定されず、遊技機２７が一般に備えている部材や装置の位置や形状を適宜設定し、利用することができる。また、保護カバー７の回動を禁止する用途に特化した部材を遊技機２７に取り付けてもよい。
【００３４】
保護カバー７は、回動するものではなく、封印シール１５を覆う位置と、開放する位置との間をスライドするものであってもよい。
保護カバー７は、基板ケース１（蓋体５、ケース本体３、又はその両方）に、ねじ等で固定できるものであってもよい。保護カバー７は、基板ケース１にねじ等で固定されているときは、封印シール１５を覆う。ねじ等を外し、保護カバー７を基板ケース１から取り外したときは、封印シール１５は開放される。この場合、裏カバー２９が位置Ｄにあるときは、保護カバー７を基板ケース１から取り外すことができるが、裏カバー２９が位置Ｃにあるときは、ねじ等を外した後、保護カバー７を基板ケース１から取り外そうとしても、保護カバー７が裏カバー２９に当接し、取り外すことができない構造とすることができる。
【図面の簡単な説明】
【００３５】
【図１】保護カバー７が閉じた状態における基板ケース１を表す斜視図である。
【図２】保護カバー７が閉じた状態における基板ケース１の３面図であり、（ａ）は平面図、（ｂ）は正面図、（ｃ）は側面図である。
【図３】保護カバー７が開いた状態における基板ケース１を表す斜視図である。
【図４】保護カバー７が開いた状態における基板ケース１の３面図であり、（ａ）は平面図、（ｂ）は正面図、（ｃ）は側面図である。
【図５】封印シール１５の構成を表す説明図であり、（ａ）は平面図、（ｂ）は断面図である。
【図６】遊技機２７の背面に基板ケース１を取り付けたが、裏カバー２９は外している状態を表す背面図である。
【図７】図６のＸ−Ｘ断面における断面図であり、（ａ）は保護カバー７が位置Ａにある状態を表し、（ｂ）は保護カバー７が位置Ｂにある状態を表す。
【図８】遊技機２７の背面に基板ケース１及び裏カバー２９を取り付けた状態を表す背面図である。
【図９】図８のＹ−Ｙ断面における断面図であり、（ａ）は保護カバー７が位置Ａにある状態を表し、（ｂ）は保護カバー７が位置Ａから位置Ｂに向けて回動する途中で、裏カバー２９と当接した状態を表す。
【符号の説明】
【００３６】
１・・・基板ケース、２・・・制御基板、３・・・ケース本体、５・・・蓋体、
５ａ・・・台座部、６・・・ネジ、７・・・保護カバー、７ａ・・・第１面、
７ｂ・・・第２面、９・・・ヒンジ、１１、１３・・・封止部、１５・・・封印シール、
１７・・・粘着層、１９・・・基材、２１・・・剥離紙、２３・・・インレット、
２３ａ・・・切り込み、２５・・・切り込み、２７・・・遊技機、２９・・・裏カバー、
３１・・・ヒンジ、３３・・・係合片、３５・・・切り欠き部、３７・・・領域
【図１】
0005422951.tif 000002
【図２】
0005422951.tif 000003
【図３】
0005422951.tif 000004
【図４】
0005422951.tif 000005
【図５】
0005422951.tif 000006
【図６】
0005422951.tif 000007
【図７】
0005422951.tif 000008
【図８】
0005422951.tif 000009
【図９】
0005422951.tif 000010